(57)【要約】      （修正有）【課題】木質系廃棄物を低コストで再利用できる環境負荷軽減のための木質固形燃料を提供する。【解決手段】木質系廃棄物の細片・粉体を原料として、安価に入手可能な清酒製造時残滓である米粉や新聞古紙のスレッダー屑や５０〜８０℃の温水をバインダーとして配合し、ミキサー等で混練して、混練物をブリケットマシン等で圧縮成形し、乾燥させて木質固形燃料を得る。安価なバインダーで得られた本考案の木質固形燃料は、燃焼時に黒煙の発生はなく、異臭を放つことはほとんどなく、コスト面でも環境面でも有効である。【選択図】図１
0003152108.tif 000002
【実用新案登録請求の範囲】
【請求項１】
木質系廃棄物の細片・粉末と該木質系廃棄物の細片・粉末の固形化用バインダーとからなる木質固形燃料において、該木質系廃棄物が廃棄木材や流木や木屑や木材チップや炭粉や製材工場等残材やおが屑や木材樹皮等の単独或いは混合品からなる木質系廃棄物からなり、該バインダーが清酒製造時残滓の米粉や新聞古紙のスレッダー屑等のセルロース系成分含有品の単独或いは混合品と混練用の水とからなることを特徴とする木質固形燃料。
【請求項２】
前記木質系廃棄物の細片・粉末は廃棄木材や流木や木屑や木材チップや炭粉や製材工場等残材やおが屑や木材樹皮等は最大辺が３ｃｍで、該木質系廃棄物は、仕上がり木質固形燃料の５０〜９５重量％含まれていることを特徴とする請求項１記載の木質系固形燃料。
【請求項３】
前記バインダーの清酒製造時残渣の米粉や新聞古紙のスレッダー屑や水等の総重量が、仕上がり木質固形燃料の５〜５０重量％含まれていることを特徴とする請求項１または請求項２記載の木質系固形燃料。
【考案の詳細な説明】
【技術分野】
【０００１】  本考案は、木質系廃棄物の細片・粉体をバインダーと混練し、混練品を成形後乾燥して得られる木質固形燃料に関するものである。
【背景技術】
【０００２】  廃棄木材や流木や木屑や木材チップや炭粉や製材工場等残材やおが屑や木材樹皮等の木質系廃棄物はほとんどが再利用されることなく、焼却ないしは埋め立て処分されることを余儀なくされている。
その処理費も高く、さらに環境面からも大きな問題となっている。【０００３】  この対策として、木質廃棄物の細片・粉末に高価なホルマリン系接着剤等をバインダーとして添加して、熱圧で所定形状に成形して建材等に使用する提案等もなされている。
しかしながら、これらは用いられるバインダーが高価であるために処理費用が高いために経済的でなく、十分な使用にいたっていない。
【考案の開示】
【考案が解決しようとする課題】
【０００４】  前記の木質廃棄物そのものは、何れも安価に入手できるものであるが、成形用に用いられるプラスチックやパラフィンやピッチ等のバインダーの費用が高いために、木質廃棄物を利用した木質固形燃料への再利用は十分に行われていない。
これらの欠点を解決しようとするものである。
【課題を解決するための手段】
【０００５】  本考案は、廃棄木材や流木や木屑や木材チップや炭粉や製材工場等残材やおが屑や木材樹皮等の木質系廃棄物を細片・粉体にして原料として、清酒製造時残滓である米粉や新聞古紙スレッダー屑や５０〜８０℃の温水をバインダーとして配合し、ミキサー等で混練して、ブリケットマシン等で圧縮成形し、乾燥させて木質固形燃料を得た。
原料とした木質系廃棄物はもちろんのこと、バインダーに使用した清酒製造時残滓である米粉や新聞古紙のスレッダー屑も廃棄物同様に安価であることからコストの低減が可能となる。
【考案の効果】
【０００６】  本考案により、再利用されずに、焼却ないしは埋め立て処分を余儀なくされていた廃棄木材や流木や木屑や木材チップや炭粉や製材工場等残材やおが屑や木材樹皮等の木質系廃棄物を、低費用で木質固形燃料として再利用することが可能となった。
廃棄物の再利用化可能により、廃棄処理費用が不要となるとともに、焼却により発生する一酸化炭素も抑制でき、地球温暖化の抑制にも貢献可能となる。【０００７】  本考案により得られた木質固形燃料は、ハウス園芸用等の燃料として活用が可能である。
しかも、重油燃焼時には黒煙が発生し異臭を放つが、本考案により得られた木質固形燃料は黒煙の発生はなく、異臭を放つこともほとんどなく環境面でも有効である。
【考案を実施するための最良の形態】
【０００８】  本考案の木質系廃棄物原料としては、低費用で入手可能な廃棄木材や流木や木屑や木材チップや炭粉や製材工場等残材やおが屑や木材樹皮等の最大片が３ｃｍの細片・粉体の単独或いは混合品が好適であり、成形用のバインダーとしても低費用で入手可能な清酒製造時残滓である米粉や新聞古紙のスレッダー屑等の単独或いは混合品や５０〜８０℃の水が好適である。
混練用の水については、バインダー中に含まれるセルロースは５０℃未満では分解を起こさないので、仕上がり木質固形燃料がブリケット等の成形性を保つには５０℃以上の温水が好ましい。【０００９】  木質系廃棄物とバインダーとの混練は十分均等に混練できるのであれば、通常のミキサーでよく特に限定特定するものではなく、成形機についても特に限定するものではなく通常のブリケットマシンで何ら問題はない。
成形後の乾燥についても、特に限定するものではなく人工的な熱源を使う必要もなく、天日乾燥や乾燥した屋内に放置するような方法でも何ら問題はない。【００１０】  本考案の木質固形燃料の硬さ、形状、サイズについても特に限定されるものではない。
使用目的に応じて、自由に調整可能である。
例えば、円柱形、立方体、球体、三角柱、四角柱さらには燃焼効率を上げるための低密度化、有通気穴構造、有溝構造等を併用しても何ら問題はない。
【実施例】
【００１１】  以下に、本考案の一実施形態を、説明する。
まず、温度調節可能ミキサーを用いて、５０〜８０℃の温水１５００ｇ中に清酒製造時残滓である米粉２００ｇと新聞古紙のスレッダー屑２０ｇを適量ずつ投入して糊状になるまで均等に混練し、ついで原料となる製材工場で発生するおが屑３００ｇを適量ずつ投入して均等になるまで十分に混練する。【００１２】  そして、得られた混練物を直径７ｃｍのブリケット成形機にて圧縮成形し、得られた成形物は乾燥した屋内で静置して乾燥する。
乾燥後得られたブリケット成形品は、直径７ｃｍ、長さ２０ｃｍで重量は約２８０ｇで比重約０．３６４のブリケット成形品である木質固形燃料が得られた。
また、成形されるブリケットの硬さ、形状、サイズについては円柱状に限られるものではなく、立方体、球体、三角柱、四角柱さらには燃焼効率を上げるための低密度化、有通気孔構造、有溝構造等を併用しても何ら問題はない。【００１３】  なお、本考案においては、原料及びバインダー等を混練するミキサーや混練物のブリケット成形機については、所定の機能を発揮するものであれば特に限定されるものではなく通常用いられる機器で可能である。【００１４】  また、本考案においては、ブリケット成形時にこぼれ等で発生した残滓は再度原料としての使用が可能であり、さらに燃料として使用後の残灰についても土壌改良剤等としての利用が可能である。
【図面の簡単な説明】
【００１５】
【図１】  本考案の一実施例を示す円柱形の斜視図である。
【図２】  本考案の一実施例を示す立方体の斜視図である。
【図３】  本考案の一実施例を示す有通気孔構造の斜視図である。
【図４】  本考案の一実施例を示す有溝構造の斜視図である。
【符号の説明】
【００１６】  １  木質固形燃料本体
２  通気孔
３  溝
【図１】
0003152108.tif 000003
【図２】
0003152108.tif 000004
【図３】
0003152108.tif 000005
【図４】
0003152108.tif 000006
【手続補正書】
【提出日】平成21年1月22日(2009.1.22)
【手続補正１】
【補正対象書類名】実用新案登録請求の範囲
【補正対象項目名】全文
【補正方法】変更
【補正の内容】
【実用新案登録請求の範囲】
【請求項１】
木質系廃棄物の細片・粉末と該木質系廃棄物の細片・粉末の固形化用バインダーとからなる木質固形燃料において、該木質系廃棄物が廃棄木材や流木や木屑や木材チップや炭粉や製材工場等残材やおが屑や木材樹皮等の単独或いは混合品からなる木質系廃棄物からなり、該バインダーが清酒製造時残渣の米粉や新聞古紙のスレッダー屑等のセルロース系成分含有品の単品或いは混合品と混練用の水とからなり、形状が円柱形、立方体、球体、三角柱または四角柱で、さらに有通気孔または有溝付加構造であることを特徴とする木質固形燃料。
【請求項２】
前記木質系廃棄物の細片・粉末は廃棄木材や流木や木屑や木材チップや炭粉や製材工場等残材やおが屑や木材樹皮等は最大片が３ｃｍで、該木質系廃棄物は、仕上がり木質固形燃料の５０〜９５重量％含まれていて、形状が円柱形、立方体、球体、三角柱または四角柱で、さらに有通気孔または有溝付加構造であることを特徴とする請求項１記載の木質固形燃料。
【請求項３】
前記バインダーの清酒製造時残渣の米粉や新聞古紙のスレッダー屑や水等の総重量が、仕上がり木質固形燃料の５〜５０重量％含まれていて、形状が円柱形、立方体、球体、三角柱または四角柱で、さらに有通気孔または有溝付加構造であることを特徴とする請求項１または請求項２記載の木質固形燃料。